(57)【要約】      （修正有）【課題】座席に対して、背もたれの傾動角度を変更自在な、背もたれをテーブルに転換可能なベンチを提供する。【解決手段】ベンチ１０は、座席１、スタンド２、及び一対の水平部材３・３を備える。座席１は、座板１１と四つの第１支持脚１ａ・１ｂ・１ｃ・１ｄを備えている。第１支持脚は、座板１１を支持している。スタンド２は、テーブル板２１と一対の第２支持脚２ａ・２ｂを備える。一対の第２支持脚は、テーブル板２１の両端部を回動自在に支持している。一対の水平部材３・３は、一方の第１支持脚と第２支持脚とを連結している。テーブル板２１を略水平状態に配置すると、ベンチ１０は、座席１付きのテーブルとして使用できる。テーブル板２１を一方の方向に回動した状態では、ベンチ１０は、背もたれ付きのベンチとして使用できる。【選択図】図３
0003208374.tif 000002
【実用新案登録請求の範囲】
【請求項１】
長方形の平板状の座板、及び、この座板を裏面側から支持する第１支持脚を有する座席と、
前記座板の長手方向に沿って略平行に配置された長方形の平板状のテーブル板、及び、このテーブル板の両端部を裏面側から回動自在に支持する一対の第２支持脚を有し、前記座席と対向配置されたスタンドと、
一方の前記第１支持脚と前記第２支持脚とを連結した一対の水平部材と、を備え、
前記テーブル板を一方の方向に回動した状態では、前記テーブル板は、前記座板に対して背もたれ可能に配置できる、背もたれをテーブルに転換可能なベンチ。
【請求項２】
前記テーブル板は、
略平行に配置され、複数の角パイプ状の架橋部材と、
一片がこれらの架橋部材の両端部を裏面側から固定する一対のアングル部材と、
前記アングル部材の他片の下部に回動自在に保持された固定ねじと、を有し、
前記第２支持脚は、
当該第２支持脚の上端部から突出した帯状の支持金具と、
前記支持金具の上部に形成し、前記固定ねじと締結自在な雌ねじ部と、を有している、請求項１記載の背もたれをテーブルに転換可能なベンチ。
【請求項３】
前記固定ねじは、手動操作が容易な円盤状のグリップを頭部に有している、請求項２記載の背もたれをテーブルに転換可能なベンチ。
【考案の詳細な説明】
【技術分野】
【０００１】
本考案は、背もたれをテーブルに転換可能なベンチに関する。特に、背もたれを傾動することで、座席と背もたれで構成したベンチを座席付きのテーブルに転換できる、背もたれをテーブルに転換可能なベンチの構造に関する。
【背景技術】
【０００２】
座席と背もたれで構成したベンチは、例えば、家庭の庭又は公園などに設置している。ベンチに座ることで休息でき、背もたれに寄り掛かることで腰への負担を軽減できる。このようなベンチにテーブルを付加することで、ベンチに座ってものを書いたりでき、ベンチに座って食事をすることもできる。
【０００３】
しかし、ベンチとテーブルを一体で構成すると、ベンチに座ることだけが目的の人にとっては、テーブルは不要である。一方、ベンチとテーブルを別体で構成すると、テーブルを不使用時には、このテーブルを別の場所に移動又は保管する必要がある。
【０００４】
このような背景から、利便性及び融通性を高めるために、背もたれを傾動することで、座席と背もたれで構成したベンチを座席付きのテーブルに転換できる、屋外用のベンチが開示されている（例えば、特許文献１参照）。
【先行技術文献】
【特許文献】
【０００５】
【特許文献１】特開２００１−１８６９６２号公報
【考案の概要】
【考案が解決しようとする課題】
【０００６】
図４は、従来技術による屋外用のベンチの構成を示す斜視図であり、背もたれ付きのベンチとして使用している状態図である。図５は、従来技術による屋外用のベンチの構成を示す斜視図であり、座席付きのテーブルとして使用している状態図である。
【０００７】
なお、本願の図４は、特許文献１の図１に相当し、本願の図５は、特許文献１の図６に相当している。
【０００８】
図４又は図５を参照すると、従来技術による屋外用のベンチ９は、座席９１と背もたれ９２を備えている。座席９１は、一対の台形台状の支持脚９１ａ・９１ａと長方形の平板状の座板９１ｂを備えている。一対の支持脚９１ａ・９１ａは、所定の間隔を設けて、対向配置されている。又、支持脚９１ａは、一方の側面を開口した箱状のキャップ部材９１１を上部に固定している。
【０００９】
図４又は図５を参照すると、座板９１ｂは、三つの角パイプ状の架橋部材９１２で構成している。これらの架橋部材９１２は、略平行に配置されている。そして、これらの架橋部材９１２の両端部をキャップ部材９１１に嵌合することで、一対の支持脚９１ａ・９１ａの上部に架橋部材９１２を架設できる。
【００１０】
図４又は図５を参照すると、座席９１は、Ｉ形チャンネル状の架渡部材９１ｃを更に備えている。架渡部材９１ｃは、一対の支持脚９１ａ・９１ａの間に配置されている。又、架渡部材９１ｃは、固定金具９１ｄを介して、両端部が支持脚９１ａに着脱自在に固定されている。更に、架渡部材９１ｃは、その中央部が山形に突出し、座席９１をその底面から支持している。
【００１１】
図４又は図５を参照すると、背もたれ９２は、一対の井桁状のひじ掛け部材９２ａ・９２ａと長方形の平板状の背もたれ板９２ｂを有している。一対のひじ掛け部材９２ａ・９２ａは、所定の間隔を設けて、対向配置されている。又、ひじ掛け部材９２ａは、一方の側面を開口した箱状のキャップ部材９２１を端部に固定している。
【００１２】
図４又は図５を参照すると、背もたれ板９２ｂは、三つの角パイプ状の架橋部材９２２で構成している。これらの架橋部材９２２は、略平行に配置されている。そして、これらの架橋部材９２２の両端部をキャップ部材９２１に嵌合することで、一対のひじ掛け部材９２ａ・９２ａに複数の架橋部材９２２を架設できる。
【００１３】
図４又は図５を参照すると、ひじ掛け部材９２ａの隅部とキャップ部材９１１の上面は、蝶番９３で回動自在に連結している。図４を参照すると、屋外用のベンチ９は、通常、背もたれ９２付きのベンチとして使用できる。一方、一対の蝶番９３・９３を回動中心として、背もたれ９２を９０度回動すると、図５に示すように、屋外用のベンチ９を座席９１付きのテーブルとして使用できる。
【００１４】
従来技術による屋外用のベンチは、背もたれを座席に対して蝶番により座席の後側の背もたれ使用位置と座席の前側のテーブル使用位置との間で変更することができ、即座にベンチ又はテ−ブルに切り替えて使用することができることで、利便性及び融通性を高めることができる、としている。
【００１５】
しかし、従来技術による屋外用のベンチは、座席に対して、背もたれの傾動角度を変更することが困難なので不便である。座席と背もたれで構成したベンチを座席付きのテーブルに転換でき、座席に対して、背もたれの傾動角度を変更自在な、背もたれをテーブルに転換可能なベンチが求められている。そして、以上のことが本考案の課題といってよい。
【００１６】
本考案は、このような課題に鑑みてなされたものであり、座席に対して、背もたれの傾動角度を変更自在な、背もたれをテーブルに転換可能なベンチを提供することを目的とする。
【課題を解決するための手段】
【００１７】
本考案者は、座板及び座板を支持する第１支持脚を有する座席と、テーブル板及びテーブル板を回動自在に支持する一対の第２支持脚を有するスタンドと、第１支持脚と第２支持脚とを連結した一対の水平部材でベンチを構成し、テーブル板を一方の方向に回動した状態では、テーブル板は、前記座板に対して背もたれ可能に配置できることにより、この課題を解消できると考え、これに基づいて、以下のような新たな背もたれをテーブルに転換可能なベンチを考案するに至った。
【００１８】
（１）本考案による背もたれをテーブルに転換可能なベンチは、長方形の平板状の座板、及び、この座板を裏面側から支持する第１支持脚を有する座席と、前記座板の長手方向に沿って略平行に配置された長方形の平板状のテーブル板、及び、このテーブル板の両端部を裏面側から回動自在に支持する一対の第２支持脚を有し、前記座席と対向配置されたスタンドと、一方の前記第１支持脚と前記第２支持脚とを連結した一対の水平部材と、を備え、前記テーブル板を一方の方向に回動した状態では、前記テーブル板は、前記座板に対して背もたれ可能に配置できる。
【００１９】
（２）前記テーブル板は、略平行に配置され、複数の角パイプ状の架橋部材と、一片がこれらの架橋部材の両端部を裏面側から固定する一対のアングル部材と、前記アングル部材の他片の下部に回動自在に保持された固定ねじと、を有し、前記第２支持脚は、当該第２支持脚の上端部から突出した帯状の支持金具と、前記支持金具の上部に形成し、前記固定ねじと締結自在な雌ねじ部と、を有していることが好ましい。
【００２０】
（３）前記固定ねじは、手動操作が容易な円盤状のグリップを頭部に有していることが好ましい。
【考案の効果】
【００２１】
本考案による背もたれをテーブルに転換可能なベンチは、テーブル板を回動自在に支持するスタンドを備え、テーブル板を一方の方向に回動した状態では、テーブル板は、座板に対して背もたれ可能に配置できる。本考案による背もたれをテーブルに転換可能なベンチは、座席に対して、背もたれの傾動角度を容易に変更できるので便利である。
【図面の簡単な説明】
【００２２】
【図１】本考案の一実施形態による背もたれをテーブルに転換可能なベンチの構成を示す斜視図であり、座席付きのテーブルとして使用している状態図である。
【図２】前記実施形態による背もたれをテーブルに転換可能なベンチの構成を示す斜視分解組立図である。
【図３】前記実施形態による背もたれをテーブルに転換可能なベンチの構成を示す斜視図であり、背もたれ付きのベンチとして使用している状態図である。
【図４】従来技術による屋外用のベンチの構成を示す斜視図であり、背もたれ付きのベンチとして使用している状態図である。
【図５】従来技術による屋外用のベンチの構成を示す斜視図であり、座席付きのテーブルとして使用している状態図である。
【考案を実施するための形態】
【００２３】
以下、図面を参照して本考案を実施するための形態を説明する。
［背もたれをテーブルに転換可能なベンチの構成］
最初に、本考案の一実施形態による背もたれをテーブルに転換可能なベンチの構成を説明する。
【００２４】
図１は、本考案の一実施形態による背もたれをテーブルに転換可能なベンチの構成を示す斜視図であり、座席付きのテーブルとして使用している状態図である。図２は、前記実施形態による背もたれをテーブルに転換可能なベンチの構成を示す斜視分解組立図である。図３は、前記実施形態による背もたれをテーブルに転換可能なベンチの構成を示す斜視図であり、背もたれ付きのベンチとして使用している状態図である。
【００２５】
（全体構成）
図１から図３を参照すると、本考案の一実施形態による背もたれをテーブルに転換可能なベンチ（以下、ベンチと略称する）１０は、座席１、スタンド２、及び、一対の水平部材３・３を備えている。
【００２６】
図１から図３を参照すると、座席１は、長方形の平板状の座板１１と四つの第１支持脚１ａ・１ｂ・１ｃ・１ｄを備えている。第１支持脚１ａ・１ｂ・１ｃ・１ｄは、座板１１の四隅を裏面側から支持している。
【００２７】
図１から図３を参照すると、スタンド２は、座席と対向配置されている。スタンド２は、長方形の平板状のテーブル板２１と一対の第２支持脚２ａ・２ｂを備えている。テーブル板２１は、座板１１の長手方向に沿って略平行に配置されている。一対の第２支持脚２ａ・２ｂは、テーブル板２１の両端部を裏面側から回動自在に支持している。
【００２８】
図１から図３を参照すると、一方の水平部材３は、第１支持脚１ｃを介して、第１支持脚１ａと第２支持脚２ａを連結している。同様に、他方の水平部材３は、第１支持脚１ｄを介して、第１支持脚１ｂと第２支持脚２ｂを連結している。
【００２９】
図１を参照すると、テーブル板２１は、略水平状態に配置されている。図１に示した状態では、ベンチ１０は、座席１付きのテーブルとして使用できる。一方、図１に示した状態からテーブル板２１を一方の方向に回動した状態では（図３参照）、テーブル板２１は、座板１１に対して背もたれ可能に配置できる。つまり、図３に示した状態では、ベンチ１０は、背もたれ付きのベンチとして使用できる。
【００３０】
実施形態によるベンチ１０は、テーブル板２１を回動自在に支持するスタンド２を備え、テーブル板２１を一方の方向に回動した状態では、テーブル板２１は、座板１１に対して背もたれ可能に配置できる。実施形態によるベンチ１０は、座席１に対して、背もたれの傾動角度を容易に変更できるので便利である。
【００３１】
（座席の構成）
次に、実施形態による座席１の構成を説明する。図１から図３を参照すると、座板１１は、四つの角パイプ状の架橋部材１１１、複数のキャップ部材１１ｃ、及び、一対のＣ形チャンネル状のブラケット１１ｂ・１１ｂを備えている。座板１１は必要に応じて架橋部材１１１、複数のキャップ部材１１ｃの代わりに一枚の板を用いてもよい。
【００３２】
図１から図３を参照すると、複数の架橋部材１１１は、それらの長手方向に沿って略平行に配置されている。複数の架橋部材１１１は、適度の隙間を設けて配置することが好ましく、座板１１の表面に滞留する雨水などを排水でき、通気性も良好になる。
【００３３】
図１から図３を参照するとキャップ部材１１ｃは、架橋部材１１１の両端部を封鎖している。これにより、座席１の美観を向上でき、架橋部材１１１の端縁からの水の浸入を防止できる。
【００３４】
図１から図３を参照すると、ブラケット１１ｂは、複数の架橋部材１１１をその裏面側から固定している。又、一対のブラケット１１ｂ・１１ｂは、第１支持脚１ａ・１ｂ・１ｃ・１ｄの上端部を内部に導入でき、一対のブラケット１１ｂ・１１ｂの側面板と第１支持脚１ａ・１ｂ・１ｃ・１ｄの上端部をねじ止めしている。
【００３５】
図１から図３を参照すると、座席１は、一組の角パイプ状の横架部材１ｅ・１ｆを更に備えている。一方の横架部材１ｅは、第１支持脚１ａと第１支持脚１ｃを下部側で連結している。同様に、他方の横架部材１ｆは、第１支持脚１ｂと第１支持脚１ｄを下部側で連結している。このように、一組の横架部材１ｅ・１ｆは、第１支持脚１ａ・１ｂ・１ｃ・１ｄの骨格が歪まないように補強している。
【００３６】
（スタンドの構成）
次に、実施形態によるスタンド２の構成を説明する。図１から図３を参照すると、テーブル板２１は、四つの角パイプ状の架橋部材２１１と複数のキャップ部材２１ｃを備えている。又、テーブル板２１は、一対のアングル部材２１ｂ・２１ｂと二つの固定ねじ２２２・２２を備えている。テーブル板２１は必要に応じて架橋部材２１１、複数のキャップ部材２１ｃの代わりに一枚の板を用いてもよい。
【００３７】
図１から図３を参照すると、複数の架橋部材２１１は、それらの長手方向に沿って略平行に配置されている。複数の架橋部材２１１は、適度の隙間を設けて配置することが好ましく、テーブル板２１の表面に滞留する雨水などを排水でき、通気性も良好になる。
【００３８】
図１から図３を参照すると、キャップ部材２１ｃは、架橋部材２１１の両端部を封鎖している。これにより、テーブル板２１の美観を向上でき、架橋部材２１１の端縁からの水の浸入を防止できる。
【００３９】
図１から図３を参照すると、一対のアングル部材２１ｂ・２１ｂは、それらの一片が複数の架橋部材２１１の両端部を裏面側から固定している。固定ねじ２２は、アングル部材２１ｂの他片の下部に回動自在に保持されている。又、固定ねじ２２は、手動操作が容易な円盤状のグリップ２２ｇを頭部に有している。これにより、工具を用いることなく、固定ねじ２２を回転できる。
【００４０】
図１から図３を参照すると、第２支持脚２ａは、その上端部から突出した帯状の支持金具２３を有している。同様に、第２支持脚２ｂは、その上端部から突出した帯状の支持金具２３を有している。支持金具２３は、固定ねじ２２と締結自在な雌ねじ部２３ｆを上部に形成している。
【００４１】
図１から図３を参照して、雌ねじ部２３ｆに対して固定ねじ２２を弛緩すると、一対の第２支持脚２ａ・２ｂに対して、テーブル板２１を回動できる。固定ねじ２２を雌ねじ部２３ｆに締結すると、一対の第２支持脚２ａ・２ｂに対して、テーブル板２１を回動困難に固定できる。
【００４２】
［背もたれをテーブルに転換可能なベンチの作用］
次に、実施形態による背もたれをテーブルに転換可能なベンチ１０の作用及び効果を説明する。
【００４３】
図１を参照すると、実施形態によるベンチ１０は、一対の第２支持脚２ａ・２ｂで支持されたテーブル板２１を水平状態に固定しており、座席１付きのテーブルとして使用できる。
【００４４】
図１に示した状態から、一対の固定ねじ２２・２２を緩めて、テーブル板２１を一方の方向に回動した状態では（図３参照）、テーブル板２１は、座板１１に対して背もたれ可能に配置できる。つまり、図３に示した状態では、ベンチ１０は、背もたれ付きのベンチとして使用できる。
【００４５】
一方、図３に示した状態から、テーブル板２１を他方の方向に回動し、テーブル板２１を水平状態に固定した状態では（図３参照）、座席１付きのテーブルとして復帰できる。
【００４６】
又、図３を参照して、実施形態によるベンチ１０は、一対の固定ねじ２２・２２を緩めることで、背もたれとしてのテーブル板２１を任意の傾動角度に回動でき、一対の固定ねじ２２・２２を締結することで、テーブル板２１の傾動角度を維持できる。実施形態によるベンチ１０は、座席１に対して、背もたれとしてのテーブル板２１の傾動角度を容易に変更できるので便利である。
【００４７】
図１から図３を参照すると、実施形態によるベンチ１０は、一対の第２支持脚２ａ・２ｂに対して、テーブル板２１の傾動角度を維持できる固定ねじ２２を備え、固定ねじ２２は、手動操作が容易な円盤状のグリップ２２ｇを頭部に有しているので、工具を用いることなく、テーブル板２１の傾動角度を変更できる。
【００４８】
本考案は、二人以上が腰掛けられる横長のベンチを開示したが、本考案は、一人掛け用の椅子に応用することが期待される。また、本考案のベンチを複数用いて使用することができ、例えばベンチを座席付きのテーブルとして使用する場合、２つのベンチのテーブル板２１が接するように、２つのベンチ１０が対向するように配置することができる。
【符号の説明】
【００４９】
１  座席
１ａ・１ｂ・１ｃ・１ｄ  第１支持脚
２  スタンド
２ａ・２ｂ  一対の第２支持脚
３・３  一対の水平部材
１０  ベンチ（背もたれをテーブルに転換可能なベンチ）
１１  座板
２１  テーブル板
【図１】
0003208374.tif 000003
【図２】
0003208374.tif 000004
【図３】
0003208374.tif 000005
【図４】
0003208374.tif 000006
【図５】
0003208374.tif 000007